(57)【要約】【課題】開口部の持つ機能を損なうことなく、音の発生を抑制する玉軸受用保持器を提供する。【解決手段】保持器１は、複数のピース１０と、弾性部材２０とを備える。複数のピース１０は、一つの開口部Ｋを介して環状に連結される。弾性部材２０は、開口部Ｋに嵌め込まれて、ピース１０に連結される。【選択図】図２
2015014297.tif 000002
【特許請求の範囲】
【請求項１】
少なくとも一つの開口部を介して環状に連結されると共に、玉を収容するためのポケットを有する複数のピースと、
上記開口部に嵌め込まれて、上記ピースに連結される弾性変形可能な弾性部材と
を備えることを特徴とする玉軸受用保持器。
【請求項２】
請求項１に記載の玉軸受用保持器において、
上記弾性部材は、軸方向の端面または径方向の周面が曲面からなる弾性部を有することを特徴とする玉軸受用保持器。
【請求項３】
請求項１または２に記載の玉軸受用保持器において、
上記ピースおよび上記弾性部材は、それぞれ、互いに係脱可能な係止凸部および係止凹部を有することを特徴とする玉軸受用保持器。
【請求項４】
請求項１から３の何れか一つに記載の玉軸受用保持器において、
上記開口部は、複数あり、
隣り合う上記開口部の中心角度は、全て、等しく、
全ての上記開口部には、上記弾性部材が、嵌め込まれていることを特徴とする玉軸受用保持器。
【発明の詳細な説明】
【技術分野】
【０００１】
この発明は、玉軸受用保持器に関する。
【背景技術】
【０００２】
従来、玉軸受用保持器としては、特開２００６−２２８９１号公報（特許文献１）に記載されたものがある。この保持器は、玉を収容するためのポケットを有する複数のピースを備え、この複数のピースは、環状に連結されている。
【先行技術文献】
【特許文献】
【０００３】
【特許文献１】特開２００６−２２８９１号公報
【発明の概要】
【発明が解決しようとする課題】
【０００４】
ところで、上記従来の保持器では、環状の一部分において、ピースをつなぎ合わせていない開口部を設けている。この開口部を設けることで、湿度や温度の影響で保持器が伸びたとしても、この伸びを開口部で吸収している。
【０００５】
しかしながら、この開口部があることで、保持器の動きの自由度が多くなって、玉軸受の回転の際に、保持器の挙動が不安定となることがわかった。そして、保持器が動くことで、音が発生するおそれがある。
【０００６】
そこで、この発明の課題は、開口部の持つ機能を損なうことなく、音の発生を抑制する玉軸受用保持器を提供することにある。
【課題を解決するための手段】
【０００７】
上記課題を解決するため、この発明の玉軸受用保持器は、
少なくとも一つの開口部を介して環状に連結されると共に、玉を収容するためのポケットを有する複数のピースと、
上記開口部に嵌め込まれて、上記ピースに連結される弾性変形可能な弾性部材と
を備えることを特徴としている。
【０００８】
この発明の玉軸受用保持器によれば、上記開口部に上記弾性部材を嵌め込んでいるので、開口部をなくすことができる。これにより、保持器の挙動を抑制できて、保持器が動くことで発生する音を抑制できる。
【０００９】
また、上記弾性部材は、弾性変形可能であるので、湿度や温度の影響で保持器が伸びたとしても、この伸びを弾性部材で吸収できる。つまり、弾性部材は、従来の開口部の持つ機能を有する。
【００１０】
また、一実施形態の玉軸受用保持器では、上記弾性部材は、軸方向の端面または径方向の周面が曲面からなる弾性部を有する。
【００１１】
この実施形態の玉軸受用保持器によれば、上記保持器が伸びて弾性部に力が加わっても、弾性部の端面または周面が、曲面からなるので、弾性部への応力集中を回避できる。これにより、弾性部材の強度を確保できる。
【００１２】
また、一実施形態の玉軸受用保持器では、上記ピースおよび上記弾性部材は、それぞれ、互いに係脱可能な係止凸部および係止凹部を有する。
【００１３】
この実施形態の玉軸受用保持器によれば、上記ピースおよび上記弾性部材は、それぞれ、互いに係脱可能な係止凸部および係止凹部を有する。これにより、隣り合うピースにおいて、一方のピースの係止凸部と他方のピースの係止凹部とを連結できる。また、隣り合うピースと弾性部材において、ピースの係止凸部と弾性部材の係止凹部とを連結でき、または、ピースの係止凹部と弾性部材の係止凸部とを連結できる。したがって、弾性部材を周方向の何れの位置にも配置できて、保持器の組立の自由度が向上する。
【００１４】
また、一実施形態の玉軸受用保持器では、
上記開口部は、複数あり、
隣り合う上記開口部の中心角度は、全て、等しく、
全ての上記開口部には、上記弾性部材が、嵌め込まれている。
【００１５】
この実施形態の玉軸受用保持器によれば、隣り合う開口部の中心角度は、全て、等しいので、玉軸受の回転の際に、回転バランスのよいものとなる。
【発明の効果】
【００１６】
この発明の玉軸受用保持器によれば、弾性変形可能な弾性部材を開口部に嵌め込んでいるので、開口部の持つ機能を損なうことなく、音の発生を抑制する。
【図面の簡単な説明】
【００１７】
【図１】本発明の第１実施形態の玉軸受用保持器を用いた玉軸受を示す断面図である。
【図２】玉軸受用保持器の軸方向からみた平面図である。
【図３】玉軸受用保持器の径方向内側からみた展開図である。
【図４】本発明の第２実施形態の玉軸受用保持器を示す径方向内側からみた展開図である。
【図５】本発明の第３実施形態の玉軸受用保持器を示す軸方向からみた平面図である。
【発明を実施するための形態】
【００１８】
以下、この発明を図示の実施の形態により詳細に説明する。
【００１９】
（第１の実施形態）
図１は、この発明の玉軸受用保持器を用いた玉軸受を示す断面図である。図１に示すように、この玉軸受は、内輪２と、外輪３と、複数の玉４と、保持器１とを備える。複数の玉４は、内輪２の外周軌道溝と外輪３の内周軌道溝との間に、保持器１に保持された状態で互いに周方向に間隔をおいて位置している。
【００２０】
上記保持器１は、２つあり、２つの保持器１は、玉軸受の軸方向に並んで配置されている。保持器１は、複数のポケット１１を有し、各ポケット１１に、玉４が、収容されている。
【００２１】
図２は、上記保持器１の軸Ｌ方向からみた平面図である。図３は、上記保持器１の径方向内側からみた一部分の展開図である。
【００２２】
図２と図３に示すように、上記保持器１は、複数（この実施形態では、１５個）のピース１０と、弾性部材２０とを備える。複数のピース１０は、一つの開口部Ｋを介して環状に連結される。弾性部材２０は、上記開口部Ｋに嵌め込まれて、ピース１０に連結される。
【００２３】
上記ピース１０は、円弧状の板部材である。ピース１０は、例えばナイロン樹脂などの樹脂材からなる。ピース１０は、複数（この実施形態では、２個）の上記ポケット１１を有し、このポケット１１は、径方向に貫通している。
【００２４】
上記ピース１０は、周方向の一端に、係止凸部１２を有し、周方向の他端に、係止凹部１３を有する。係止凸部１２と係止凹部１３とは、同じ形状である。隣り合うピース１０，１０において、一方のピース１０の係止凸部１２と他方のピースの係止凹部１３とは、互いに係脱可能に、連結される。係止凸部１２と係止凹部１３とは、径方向に係脱可能であり、周方向に係脱不能である。
【００２５】
上記弾性部材２０は、円弧状の板部材である。弾性部材２０は、上記ピース１０と同じ材料からなり、例えば、ナイロン樹脂などの樹脂材からなる。
【００２６】
上記弾性部材２０は、弾性部２１と、係止凸部２２と、係止凹部２３とを有する。弾性部２１は、周方向の中央に位置し、係止凸部２２は、周方向の一端に位置し、係止凹部２３は、周方向の他端に位置する。
【００２７】
上記弾性部２１は、弾性変形可能である。弾性部２１は、径方向からみて蛇行状に形成され、周方向に伸縮可能となる。弾性部２１の軸方向の両端面２１０，２１０は、曲面からなる。
【００２８】
上記弾性部材２０の係止凸部２２および係止凹部２３は、上記ピース１０の係止凸部１２および係止凹部１３と同じ形状である。弾性部材２０は、２つのピース１０，１０に挟まれている。一方のピース１０の係止凸部１２と弾性部材２０の係止凹部２３とは、互いに係脱可能に、連結される。他方のピース１０の係止凹部１３と弾性部材２０の係止凸部２２とは、互いに係脱可能に、連結される。ピース１０の係止凸部１２と弾性部材２０の係止凹部２３とは、径方向に係脱可能であり、周方向に係脱不能である。ピース１０の係止凹部１３と弾性部材２０の係止凸部２２とは、径方向に係脱可能であり、周方向に係脱不能である。
【００２９】
上記構成の玉軸受用保持器１によれば、上記開口部Ｋに上記弾性部材２０を嵌め込んでいるので、開口部Ｋをなくすことができる。これにより、保持器１の挙動を抑制できて、保持器１が動くことで発生する音を抑制できる。
【００３０】
また、上記弾性部材２０は、弾性変形可能であるので、湿度や温度の影響で保持器１が伸びたとしても、この伸びを弾性部材２０で吸収できる。つまり、弾性部材２０は、従来の開口部の持つ機能を有する。
【００３１】
したがって、上記保持器１は、従来の開口部の持つ機能を損なうことなく、音の発生を抑制できる。特に、上記保持器１を、例えば、ＣＴスキャンの回転部を支持する玉軸受に用いる場合で、保持器１が大型となるときに、一層好適となる。
【００３２】
また、上記保持器１が伸びて弾性部２１に力が加わっても、弾性部２１の端面２１０が、曲面からなるので、弾性部２１への応力集中を回避できる。これにより、弾性部材２０の強度を確保できる。また、弾性部２１は、蛇行状であるので、伸縮しやすく、保持器１の伸びに即座に対応できる。
【００３３】
また、上記ピース１０および上記弾性部材２０は、それぞれ、互いに係脱可能な係止凸部１２，２２および係止凹部１３，２３を有する。これにより、ピース１０同士、および、ピース１０と弾性部材２０とを、係止凸部１２，２２および係止凹部１３，２３を介して、連結できる。したがって、弾性部材２０を周方向の何れの位置にも配置できて、保持器１の組立の自由度が向上する。
【００３４】
（第２の実施形態）
図４は、この発明の第２実施形態の玉軸受用保持器を示す径方向内側からみた展開図である。この第２の実施形態は、上記第１の実施形態とは、弾性部材の構成のみが相違する。この相違する構成のみを以下に説明する。なお、この第２の実施形態において、上記第１の実施形態と同一の符号は、上記第１の実施形態と同じ構成であるため、その説明を省略する。
【００３５】
図４に示すように、この保持器１Ａの弾性部材２０Ａは、弾性部２１Ａと、係止凸部２２と、係止凹部２３とを有する。弾性部２１Ａは、周方向の中央に位置し、係止凸部２２は、周方向の一端に位置し、係止凹部２３は、周方向の他端に位置する。
【００３６】
上記弾性部２１Ａは、弾性変形可能である。弾性部２１Ａは、径方向からみて環状に形成され、周方向に伸縮可能となる。弾性部２１Ａの軸方向の両端面２１０Ａ，２１０Ａは、曲面からなる。
【００３７】
上記構成の保持器１Ａでは、上記第１の実施形態と同じ作用効果を奏し、さらに、弾性部２１Ａは、環状であるので、弾性部２１Ａの製造が簡単となる。
【００３８】
（第３の実施形態）
図５は、この発明の第３実施形態の玉軸受用保持器を示す軸方向からみた平面図である。この第３の実施形態は、上記第１の実施形態とは、弾性部材および開口部の数量のみが相違する。この相違する構成のみを以下に説明する。なお、この第３の実施形態において、上記第１の実施形態と同一の符号は、上記第１の実施形態と同じ構成であるため、その説明を省略する。
【００３９】
図５に示すように、この保持器１Ｂでは、開口部Ｋは、３つある。隣り合う開口部Ｋ，Ｋの中心角度は、全て、等しく、１２０°である。全ての開口部Ｋには、弾性部材２０が嵌め込まれている。
【００４０】
上記構成の保持器１Ｂによれば、隣り合う開口部Ｋ，Ｋの中心角度は、全て、等しいので、玉軸受の回転の際に、回転バランスのよいものとなる。
【００４１】
なお、この発明は上述の実施形態に限定されない。例えば、上記第１から上記第３の実施形態のそれぞれの特徴点を様々に組み合わせてもよい。
【００４２】
上記実施形態では、玉軸受において、保持器を２つ設けたが、１つでもよい。ピースの数量の増減は、自由である。ピースに設けられるポケットの数量の増減は、自由である。
【００４３】
上記実施形態では、保持器を、ラジアル軸受用の保持器としたが、スラスト軸受用の保持器としてもよい。
【００４４】
上記実施形態では、開口部を１つまたは３つとしたが、２つまたは４つ以上としてもよい。この場合、全ての開口部には、弾性部材が、嵌め込まれる。ただし、本発明では、開口部は、全てのピースの間に、設けられず、開口部の数量は、ピースの数量よりも少ないものとする。言い換えると、全てのピースのうち、少なくとも２つのピースは、直接に、連結されている。
【００４５】
上記実施形態では、弾性部材を、ピースと同じ材料としたが、ピースと異なる材料としてもよい。
【００４６】
上記実施形態では、弾性部材の弾性部は、径方向からみて蛇行状または環状に形成されていたが、軸方向からみて蛇行状または環状に形成するようにしてもよい。
【００４７】
上記実施形態では、弾性部材として、蛇行状や環状の形状により弾性を持たせていたが、他の形状により弾性を持たせるようにしてもよく、または、例えばゴムなどの材質により弾性を持たせるようにしてもよい。
【００４８】
上記実施形態では、上記弾性部は、軸方向の端面が曲面からなっていたが、径方向の周面が曲面からなるようにしてもよい。
【００４９】
上記実施形態では、ピース同士、および、ピースと弾性部材とを、係止凸部および係止凹部を介して、連結したが、別途のピンを介して、連結するようにしてもよい。
【００５０】
上記第３実施形態では、隣り合う開口部の中心角度を、全て、等しくしたが、少なくとも一つの中心角度を、他の中心角度と異なるようにしてもよい。
【符号の説明】
【００５１】
１，１Ａ，１Ｂ  玉軸受用保持器
２  内輪
３  外輪
４  玉
１０  ピース
１１  ポケット
１２  係止凸部
１３  係止凹部
２０，２０Ａ  弾性部材
２１，２１Ａ  弾性部
２１０，２１０Ａ  端面
２２  係止凸部
２３  係止凹部
Ｋ  開口部
Ｌ  保持器の軸
【図１】
2015014297.tif 000003
【図２】
2015014297.tif 000004
【図３】
2015014297.tif 000005
【図４】
2015014297.tif 000006
【図５】
2015014297.tif 000007